(57)【要約】【課題】  本考案は無縫製で編まれ、ごわつきやだぶつきもなく、体にフィットして着心地が良く、股下部に開口部を有して用便が容易なニットスパッツを提供することを目的とする。【解決手段】  少なくとも前後一対の対向する針床を有する横編機を用いて無縫製で編成されるニットスパッツであって、左右の脚部の足口から股下部は筒状に編成し、股下部から前記左右の脚部に続く部分をＣ字状に折返し編成して前後に渡る開口部を形成し、開口部の股下側端部近傍では開口部の開口巾が広がるように左右ともに編巾を変化させ、開口部のウエスト側端部からウエスト部の終端は１つの筒状として編成したことを特徴とする。【選択図】図１
0003126086.tif 000002
【実用新案登録請求の範囲】
【請求項１】
少なくとも前後一対の対向する針床を有する横編機を用いて無縫製で編成されるニットスパッツであって、左右の脚部の足口から股下部は筒状に編成し、股下部から前記左右の脚部に続く部分をＣ字状に折返し編成して前後に渡る開口部を形成し、開口部の股下側端部近傍では開口部の開口巾が広がるように左右ともに編巾を変化させ、開口部のウエスト側端部からウエスト部の終端は１つの筒状として編成したことを特徴とするニットスパッツ。
【請求項２】
前記前後に渡る開口部は前後に開口差を設け、開口部の股下側端部から後ウエスト側端部までの長さよりも、開口部の股下側端部から前ウエスト側端部までの長さの方を長くしたことを特徴とする請求項１に記載のニットスパッツ。
【請求項３】
前記前後に渡る開口部の周縁部分はガーター編みにし、ウエスト部の編成前にヒップ側で引き返し編みを行ない、ウエスト部は弾性糸を挿入したリブ編みにして、ウエスト部の終端は該弾性糸で伏目したことを特徴とする請求項１または請求項２に記載のニットスパッツ。
【考案の詳細な説明】
【技術分野】
【０００１】
本考案は、股下部に開口部を設けた無縫製のニットスパッツに関するものである。
【背景技術】
【０００２】
従来から股下部に開口部を設けて、用便時に下着の上げ下げを不要にした下着として、防寒の為に和装時に着用する和装用下着や、障害者用または介護用下着などがある。
【０００３】
例えば、ガードルタイプの和装用下着で、股下部を裁断加工して開口部を設けて用便を容易にし、且つガードルによる締め付け効果でボディラインを美しくするものがある。（特許文献１、特許文献２）
【０００４】
また、障害者用または介護用下着として、股下に左右の開き口を設け、平常時は重なり部によって見えないように覆われ、用便時に腰を下ろして着座するだけで左右に分かれて大きく開くものもある。（特許文献３）
【０００５】
【特許文献１】実用新案登録第３１０１３６６号公報
【特許文献２】実用新案登録第３１０５８２６号公報
【特許文献３】実開平７−１５０１１号公報
【考案の開示】
【考案が解決しようとする課題】
【０００６】
前記文献１〜３で開示されている股下部に開口部を設けた下着は、何れも縫製を伴うものである。縫製した箇所は生地の厚みが増して、ごわつきがある。また特に下着のように肌に直接触れる場合には、着心地に影響を及ぼす。しかしながら、無縫製ニットでこのような下着は知られていない。
【０００７】
本考案は無縫製で編まれ、ごわつきやだぶつきもなく、体にフィットして着心地が良く、股下部に開口部を有して用便が容易なニットスパッツを提供することを目的とする。
【課題を解決するための手段】
【０００８】
本考案のニットスパッツは、少なくとも前後一対の対向する針床を有する横編機を用いて無縫製で編成されるニットスパッツであって、左右の脚部の足口から股下部は筒状に編成し、股下部から前記左右の脚部に続く部分をＣ字状に折返し編成して前後に渡る開口部を形成し、開口部の股下側端部近傍では開口部の開口巾が広がるように左右ともに編巾を変化させ、開口部のウエスト側端部からウエスト部の終端は１つの筒状として編成したことを特徴とする。
【０００９】
また本考案のニットスパッツは、前記前後に渡る開口部は前後に開口差を設け、開口部の股下側端部から後ウエスト側端部までの長さよりも、開口部の股下側端部から前ウエスト側端部までの長さの方を長くしたことを特徴とする。
【００１０】
また本考案のニットスパッツは、前記前後に渡る開口部の周縁部分はガーター編みにし、ウエスト部の編成前にヒップ側で引き返し編みを行ない、ウエスト部は弾性糸を挿入したリブ編みにして、ウエスト部の終端は該弾性糸で伏目したことを特徴とする。
【考案の効果】
【００１１】
本考案によれば、ニットスパッツは横編機を用いて、股下部の開口部も含めて無縫製で編成され、縫製箇所がない為、肌にやさしく、ニット特有の伸縮性を有してごわつきもなく、体にフィットして着心地が良く、保温性にも優れている。また、開口部の股下側端部近傍で編巾を変化させている為、着用時には開口部の開口巾が広がるようになり、開口部の周縁部分がだぶつくこともなく、用便時には大きく開口が可能である為、利便性が良い。
【００１２】
また本考案によれば、ニットスパッツの開口部は前後に開口差を設け、後側よりも前側の開口長さを長くしている為、人の体にフィットし、且つヒップ側の開口部のラインが表面に現れ難い。
【００１３】
また本考案によれば、ニットスパッツは開口部の周縁部分をガーター編みにしている為、カール防止と補強の効果がある。またウエスト部の編成前にヒップ側で引き返し編みを行なう為、ヒップ部分を立体的に形成する。またウエスト部は弾性糸を挿入したリブ編みにし、その終端を弾性糸で伏目している為、伸びを有し、且つ仕上がりがきれいである。
【考案を実施するための最良の形態】
【００１４】
図１は、本考案の実施の一形態としてのニットスパッツ１の正面図を示す。以下の説明において、前後及び左右とは、ニットスパッツ１を着用した状態の着用者を基準とする。
【００１５】
図１に示す実施の一形態としてのニットスパッツ１は、公知の少なくとも前後一対の対向する針床を有する横編機を用いて無縫製で編成される。ニットスパッツ１は、大略的に左右の脚部３とウエスト部１９から成り、股下部７に前後に渡る開口部９を有する。またニットスパッツ１は左右対称である。ニットスパッツ１は、足口５からウエスト部１９に向けて編成するものとする。
【００１６】
各脚部３は、足口５から股下部７にかけて完全な筒状であり、股下部７から前後に渡る開口部９を形成する。開口部９は前後で同位置である開口部の股下側端部１１から開口し始める。前後の開口部の股下側端部１１の近傍である減らし部１７では、減らし編成によって編巾を変えることで開口巾が広げられる。この減らし編成の後は、前後で編巾および開口巾を一定に保つ。そして開口部の後ウエスト側端部１５にて、後側の開口部を閉じる。
【００１７】
開口部９の終端は前後で異なる位置とし、前後に渡る開口部９に前後差を設ける。開口部の股下側端部１１から開口部の後ウエスト側端部１５までの長さよりも、開口部の股下側端部１１から開口部の前ウエスト側端部１３までの長さの方を長くする。また、カール防止と補強のため、前後に渡る開口部の周縁部分２５をガーター編みにする。
【００１８】
開口部９の形成後、すなわち、図１における開口部の前ウエスト側端部１３より上側の部分すべては、完全な筒状となる。後側のウエスト部の始端２１の直下付近では、引き返し編みを行なって、前側に比べて編成コース数を多くすることで、ヒップ部の膨らみに対応した立体的な形状とする。
【００１９】
ウエスト部１９は、伸縮性を持たせる為にリブ編みにし、更に弾性糸を挿入する。リブ編み組織は例えば２Ｘ２リブなどを適用すればよい。ウエスト部の終端２３で、挿入に用いた弾性糸で伏目処理を行なう。
【００２０】
図２は、図１に示すニットスパッツ１の各部における編成状態を示す図である。横編機の前針床をＦＢ、後針床をＢＢとし、ニットスパッツ１の前側、後側をそれぞれＦＢ、ＢＢに係止して編む。尚、図２のＡ〜Ｄは、図１における区間Ａ〜区間Ｄでの針床上の編地の状態に相当する。また、左右、前後を表す為に、右をｒ、左をｌ、前をｆ，後をｌとして符号に付加する。
【００２１】
区間Ａにおいて、２つの脚部３の足口５からそれぞれ筒状に編み始めて、筒径を広げながら股下部７まで編む。
【００２２】
区間Ｂでは、左右の脚部３でそれぞれ前後の開口部の股下側端部１１からＣ字状に折返し編成を行なって開口部９を形成する。前後の開口部の股下側端部１１の近傍ではＣ字状に折返し編成をしながら減らし編成を行なって開口巾を広げる。その後は、前後で編巾および開口巾を一定に保つ。また前後の開口部の周縁部分２５はガーター編みにする。区間Ａからここまでは前後、左右ともに対称である。
【００２３】
例えば図１に示すニットスパッツ１は島精機製作所製の４枚ベッド横編機、製品名：ＳＷＧ−Ｘの１２Ｇ（ゲージ）で編成するとして、開口部の股下側端部１１の位置での脚部３の巾Ｗ１は２３０ｍｍ、減らし編成が終わった位置での脚部３の巾Ｗ２は１９０ｍｍであり、減らし編成によって編巾を４０ｍｍ減らしている。これは目数で３０目に相当する。また減らし部１７の高さＨは５５ｍｍであり、４コース毎に２目ずつ減らしている。
【００２４】
次に、区間Ｂの終わりである開口部の後ウエスト側端部１５で、後側の開口部９ｂを閉じ、左右の脚部３を接続する。減らし編成において、前記のように左右で各３０目ずつの計６０目が減っており、左右の脚部３の編地を針床上で移動させて編地間を６０目詰めるように近づける。このようにして後側の開口部９ｂを閉じて接続すれば、開口巾を広げると同時にヒップ周りからウエスト周りにかけて周長が減少するラインを形成でき、体にフィットさせることができる。また後述のウエスト部１９を続けて編成することもできる。すなわち前記減らし編成は、開口巾を広げるための減らしと、ウエスト巾を狭める為の減らしとを兼ねている。
【００２５】
区間Ｃでは、前側の開口部９ｆのみが開口している為、図に示すようにＣ字状に折返し編成する。区間Ｃの終わりである開口部の前ウエスト側端部１３で、前側の開口部９ｆが閉じられ、完全な筒状となる。
【００２６】
区間Ｄでは、図に示すように筒状に周回編成を行なう。ウエスト部１９では、例えば２Ｘ２のリブ編みをし、且つ弾性糸を挿入する。ウエスト部の終端２３では、弾性糸を用いて伏目処理を行ない、ニットスパッツ１の編成を完了する。
【００２７】
図２のＥは、後側のウエスト部の始端２１の直下での引き返し編みを示す。ウエスト部の始端２１からウエスト部１９の編成を始める前に図に示すように、後側のみ引き返し編みを行なって前側に比べて編成コース数を多くする。
【００２８】
このようにして編成されたニットスパッツ１の各部の寸法は以下の通りである。開口部の股下側端部１１から開口部の前ウエスト側端部１３は１８０ｍｍ、開口部の股下側端部１１から開口部の後ウエスト側端部１５は１３０ｍｍ、開口差は５０ｍｍ、開口部の股下側端部１１からウエスト部の終端２３は３００ｍｍ、ウエスト部の始端２１からウエスト部の終端２３は１００ｍｍである。
【００２９】
以上のようにして、本考案のニットスパッツ１は編成される。上記の説明でニットスパッツ１は、足口５から編み出して、ウエスト部の終端２３で伏目処理して終わるように編成したが、逆方向に編むことも可能である。すなわち、ウエスト部の終端２３から編み出して、足口５で伏目処理して終わる。このように逆方向から編む場合には、図１の減らし部１７において、逆に増やし編成して編巾を広げれば、結果として開口巾が広げられることになる。
【００３０】
本考案のニットスパッツは、股下部に開口部を設け、用便時の上げ下げを不要にできる為、和装時に着用したり、障害者用または介護用として好適である。尚、本考案におけるニットスパッツは、図１に示す形状に限らず、股下の長さ、開口部の長さ、前後の開口差の量などは所望の長さにすることができる。また、ウエスト部１９と開口部の周縁部分２５以外の箇所は、天竺編みに限らず、リブ、リンクス等の他の編組織にすることも可能である。
【図面の簡単な説明】
【００３１】
【図１】本考案の実施の一形態としてのニットスパッツ１の正面図である。
【図２】ニットスパッツ１の編成工程を示す図である。
【符号の説明】
【００３２】
１  ニットスパッツ
３  脚部
５  足口
７  股下部
９  開口部
１１  開口部の股下側端部
１３  開口部の前ウエスト側端部
１５  開口部の後ウエスト側端部
１７  減らし部
１９  ウエスト部
２１  ウエスト部の始端
２３  ウエスト部の終端
２５  開口部の周縁部分
【図１】
0003126086.tif 000003
【図２】
0003126086.tif 000004